(57)【要約】      （修正有）【課題】使用耐久性及び毛髪部材とかつら本体の接合性が向上した全頭かつらを提供する。【解決手段】かつら本体１０と、かつら本体１０に着脱可能に接合する毛髪部材ユニット２０を備えた全頭かつらにおいて、かつら本体１０は、かつらベース１１と、かつらベース１１に植毛された毛髪１２とを含み、かつらベース１１には、頭部に接する側とは反対側の後頭部を覆う領域には毛髪部材ユニットを取り付けるためのテープ状の第１留め具１３が１本以上設けられており、毛髪部材ユニット２０は、毛髪部材２１を１本以上含み、毛髪部材２１には第２留め具２２が備えられており、第１留め具１３及び第２留め具２２の一方又は両方の表面には、自着性接着剤が配置されており、第２留め具が第１留め具に剥離可能に接着されることで前記毛髪部材がかつら本体に接合する。【選択図】図１
0003225279.tif 000002
【実用新案登録請求の範囲】
【請求項１】
かつら本体と、前記かつら本体に着脱可能に接合する毛髪部材ユニットを備えた全頭かつらにおいて、
前記かつら本体は、かつらベースと、前記かつらベースに植毛された毛髪とを含み、
前記かつらベースには、頭部に接する側とは反対側の後頭部を覆う領域には毛髪部材ユニットを取り付けるためのテープ状の第１留め具が１本以上設けられており、
前記毛髪部材ユニットは、毛髪部材を１本以上含み、前記毛髪部材にはテープ状の第２留め具が備えられており、
第１留め具及び第２留め具の一方又は両方の表面には、自着性接着剤が配置されており、
第２留め具が第１留め具に剥離可能に接着されることで前記毛髪部材がかつら本体に接合することを特徴とする全頭かつら。
【請求項２】
前記かつらベースには、テープ状の第１留め具が２本以上設けられており、前記毛髪部材ユニットは、毛髪部材を２本以上含み、前記毛髪部材のそれぞれにはテープ状の第２留め具が備えられている請求項１に記載の全頭かつら。
【請求項３】
前記毛髪部材ユニットは、少なくとも首付近を覆う請求項１又は２に記載の全頭かつら。
【請求項４】
前記毛髪部材ユニットを２つ以上含む請求項１〜３のいずれか１項に記載の全頭かつら。
【請求項５】
前記第１留め具及び第２留め具は、伸縮性生地の一方又は両方の表面に自着性接着剤が配置された留め具用基材で構成されている請求項１〜４のいずれか１項に記載の全頭かつら。
【請求項６】
前記留め具用基材は、厚さが０．２〜０．６ｍｍである請求項５に記載の全頭かつら。
【請求項７】
前記自着性接着剤は、厚さが１０〜８０μｍである請求項１〜６のいずれかに記載の全頭かつら。
【請求項８】
前記自着性接着剤の表面には保護層が設けられている請求項１〜７のいずれか１項に記載の全頭かつら。
【請求項９】
前記保護層は、ストレッチフィルムで構成されている請求項８に記載の全頭かつら。
【考案の詳細な説明】
【技術分野】
【０００１】
本考案は、全頭かつらに関する。詳細には、部分かつらを備えている全頭かつらに関する。
【背景技術】
【０００２】
通常、先天的に頭髪が少ない場合、円形脱毛症により頭髪が消失している時、抗ガン剤治療などにより脱毛している場合には、頭部全体を覆う全頭かつらが用いられていた。例えば、特許文献１には、かつら本体と部分かつらを備えた全頭用かつらが開示されている。また、髪型のファッション性を高めるために全頭かつらを用いることもある。例えば、特許文献２には、頭部を被包する第１かつらと襟足部分に被冠してこれを装飾する第２かつらからなり、それぞれのかつらを単独で又はクリップにより連結して使用することにより、髪型に多様な意匠性を自由に設定できるかつらが提案されている。
【先行技術文献】
【特許文献】
【０００３】
【特許文献１】特開２０１４−９１８７０号公報
【特許文献２】特開２００４−９１９７２号公報
【考案の概要】
【考案が解決しようとする課題】
【０００４】
しかしながら、引用文献１に記載の全頭かつらの場合、部分かつらが面ファスナーを介してかつら本体に接合するため、毛髪が面ファスナーに絡みやすいことから接合性が劣るという問題があった。また、引用文献２に記載のかつらの場合、首部分を覆う領域の毛髪が劣化しやすく、全頭かつらの使用耐久性が低下する問題があった。
【０００５】
本発明は、前記従来の問題を解決するため、使用耐久性及び毛髪部材とかつら本体の接合性が向上した全頭かつらを提供する。
【課題を解決するための手段】
【０００６】
本考案は、かつら本体と、前記かつら本体に着脱可能に接合する毛髪部材ユニットを備えた全頭かつらにおいて、前記かつら本体は、かつらベースと、前記かつらベースに植毛された毛髪とを含み、前記かつらベースには、頭部に接する側とは反対側の後頭部を覆う領域には毛髪部材ユニットを取り付けるためのテープ状の第１留め具が１本以上設けられており、前記毛髪部材ユニットは、毛髪部材を１本以上含み、前記毛髪部材にはテープ状の第２留め具が備えられており、第１留め具及び第２留め具の一方又は両方の表面には、自着性接着剤が配置されており、第２留め具が第１留め具に剥離可能に接着されることで前記毛髪部材がかつら本体に接合することを特徴とする全頭かつらに関する。
【考案の効果】
【０００７】
本考案の１以上の実施形態の全頭かつらによれば、使用耐久性及び毛髪部材とかつら本体の接合性が向上した全頭かつらを提供することができる。
【図面の簡単な説明】
【０００８】
【図１】図１は、本考案の１以上の実施形態の全頭かつらを装着した状態を、一部の毛髪を透過して示した模式図である。
【図２】図２は、本考案の１以上の実施形態の全頭かつらで用いる一例の毛髪部材の模式的説明図である。
【図３】図３は、本考案の１以上の実施形態の全頭かつらにおける一例の毛髪部材ユニットの模式的説明図である。
【図４】図４は、本考案の１以上の実施形態の全頭かつらにおける一例の毛髪部材ユニットの模式的説明図である。
【図５】図５は、本考案の１以上の実施形態の全頭かつらにおける一例の毛髪部材ユニットの模式的説明図である。
【図６】図６は、本考案の１以上の実施形態で用いる一例の留め具用基材の模式的断面図である。
【図７】図７は、本考案の１以上の実施形態で用いる一例の留め具用基材の模式的断面図である。
【図８】図８は、本考案の１以上の実施形態で用いる一例の留め具用基材の模式的断面図である。
【図９】図９は、本考案の１以上の実施形態の全頭かつらにおいて、かつら本体に毛髪部材ユニットを取り付けた状態を、一部の毛髪を透過して示した模式図である。
【図１０】図１０Ａ〜Ｂは、第１留め具と第２留め具間の接着強度を測定するのに用いた一例の測定試料を説明する写真である。
【考案を実施するための形態】
【０００９】
本考案者らは、上述した課題を解決するために、検討を重ねた。その結果、かつら本体と、かつら本体に着脱可能に接合する毛髪部材ユニットで全頭かつらを構成し、かつら本体を、かつらベースと、前記かつらベースに植毛された毛髪と、前記かつらベースにの頭部に接する側とは反対側の後頭部を覆う領域に設けられた毛髪部材ユニットを取り付けるための１本以上のテープ状の一方又は両方の表面に自着性接着剤が配置されている第１留め具で構成し、毛髪部材ユニットを、毛髪部材と、テープ状の一方又は両方の表面に自着性接着剤が配置されている第２留め具で構成し、第２留め具が第１留め具に剥離可能に接着されることで前記毛髪部材がかつら本体に接合することで、全頭かつらの使用耐久性及び毛髪部材とかつら本体の接合性が向上することを見出した。
【００１０】
前記全頭かつらは、かつら本体を含み、かつら本体は、かつらベースと、前記かつらベースに植毛された毛髪と、前記かつらベースにの頭部に接する側とは反対側の後頭部を覆う領域に設けられた毛髪部材ユニットを取り付けるための１本以上のテープ状の第１留め具を含む。
【００１１】
前記かつらベースは、特に限定されないが、通気性を高め、装着時の快適性を高める観点から、少なくとも一部がネット生地で構成されていることが好ましく、全部がネット生地で構成されていることがより好ましい。本考案の１以上の実施形態において、特に限定されないが、前記ネット生地は、例えば、網目状に織られた布、貫通孔が形成された布等を用いることができる。前記ネット生地の素材は特に限定されるものではなく、例えば、化学繊維や天然繊維等が挙げられる。前記ネット生地は、伸縮性を有してもよい。
【００１２】
前記かつらベースに植毛される毛髪としては、人工毛髪用繊維を用いることができ、人工毛髪用繊維は、特に限定されず、天然繊維、化学繊維等の人工毛髪用繊維を用いることができる。天然繊維としては、例えば、人毛やヤク毛等が挙げられ、化学繊維としては、例えば、ポリエステル系繊維、アクリル系繊維、塩化ビニル繊維、ボリアミド繊維等の合成繊維やコラーゲン繊維等の人工タンパク質繊維等が挙げられる。毛髪の植毛も、特に限定されず、例えば、接着、縫製等の一般的にかつらを作製する時に行われる方法及び装置等を用いて行うことができる。
【００１３】
前記かつらベースに植毛される毛髪は、毛髪部材であってもよい。前記毛髪部材は、繊維が互いに連結されている根元部分を有する繊維束で構成された蓑毛を含んでいてもよい。前記蓑毛（ウエフトとも称される。）は、一般的に、所定の長さの繊維束の一方の端部をかつら用のミシンで縫製して、腰ミノ状に加工したものである。前記蓑毛において、縫製部が根元部分となる。
【００１４】
前記かつらベースにの頭部に接する側とは反対側の後頭部を覆う領域、好ましくは首付近を覆う領域に毛髪部材ユニットを取り付けるための１本以上のテープ状の第１留め具を設け、該第１留め具と毛髪ユニットの第２留め具が剥離可能に接着させることで、全頭かつらの全体としての使用耐久性が向上した。具体的には、本考案の全頭かつらは、着脱可能な毛髪部材ユニットを備え、該毛髪部材ユニットを装着時にダメージを受けやすい後頭部を覆う領域、特に首付近を覆う領域に取り付けることで、該毛髪部材ユニットを交換することで、全頭かつらを長く使用することができ、かつら全体としての使用耐久性が向上する。また、第１留め具及び第２留め具の一方又は両方の表面に自着性接着剤を配置し、第１留め具と毛髪ユニットの第２留め具が剥離可能に接着することで、毛髪が第１留め具及び第２留め具に絡むことがなく、毛髪部材とかつら本体の接合性が向上する。前記かつらベースには、２〜１０本の第１留め具が設けられてもよく、３〜８本であってもよく、４〜６本であってもよい。
【００１５】
前記毛髪部材ユニットは、１本以上の毛髪部材を含む。毛髪部材に用いる毛髪（繊維）は、特に限定されず、天然繊維、化学繊維などの人工毛髪用繊維を用いることができる。天然繊維としては、例えば、人毛やヤク毛等が挙げられ、化学繊維としては、例えば、ポリエステル系繊維、アクリル系繊維、塩化ビニル繊維、ボリアミド繊維等の合成繊維やコラーゲン繊維等の人工タンパク質繊維等が挙げられる。
【００１６】
前記毛髪部材ユニットにおいて、毛髪部材としてはかつらベースに植毛する毛髪と同様のものを用いてもよい。前記毛髪部材は、例えば、繊維が互いに連結されている根元部分を有する繊維束で構成された蓑毛を含んでもよい。前記蓑毛（ウエフトとも称される。）は、一般的に、所定の長さの繊維束の一方の端部をかつら用のミシンで縫製して、腰ミノ状に加工したものである。前記蓑毛において、縫製部が根元部分となる。本考案の１以上の実施形態において、第２留め具は通常毛髪部材の一方の端部に設けられ、例えば毛髪部材が蓑毛の場合は、通常、第２留め具は、蓑毛の根元部分に設けられる。
【００１７】
前記毛髪部材ユニットにおいて、毛髪部材には第２留め具が備えられている。第１留め具が２本以上の場合、第２留め具も２本以上となる。本考案の１以上の実施形態において、「第２留め具と第１留め具が剥離可能に接着する」とは、第１留め具と第２留め具が圧力及び/又は熱等の外的処理により剥離可能に接着することを意味する。全頭かつらを取り付けた状態において、毛髪部材が取り付け本体から外れることを抑制する観点から、第２留め具と第１留め具間の接着強度は、特に限定されないが、０．５Ｎ/ｃｍ以上であることが好ましく、１Ｎ/ｃｍ以上であることがより好ましく、２Ｎ/ｃｍ以上であることがさらに好ましく、３Ｎ/ｃｍ以上であることがさらにより好ましく、５Ｎ/ｃｍ以上であることがさらにより好ましく、７Ｎ/ｃｍ以上であることが特に好ましい。かつら本体と毛髪部材を繰り返し剥離しやすい観点から、第２留め具と第１留め具間の接着強度が９Ｎ/ｃｍ以下であることが好ましい。本考案の１以上の実施形態において、第２留め具と第１留め具間の接着強度は、後述するとおりに測定する。
【００１８】
本考案の１以上の実施形態において、第２留め具と第１留め具が剥離可能に接着することで、第２留め具と第１留め具を繰り返し剥離接着することができる。繰り返し使用の耐久性が高い観点から、１０回以上剥離と接着を繰り返した場合、第２留め具と第１留め具間の接着強度は２Ｎ/ｃｍ以上であることが好ましく、３Ｎ/ｃｍ以上であることがより好ましく、５Ｎ/ｃｍ以上であることがさらに好ましく、７Ｎ/ｃｍ以上であることが特に好ましい。また、繰り返し使用の耐久性が高い観点から、２０回以上剥離と接着を繰り返した場合、第２留め具と第１留め具間の接着強度は２Ｎ/ｃｍ以上であることが好ましく、３Ｎ/ｃｍ以上であることがより好ましく、５Ｎ/ｃｍ以上であることがさらに好ましく、７Ｎ/ｃｍ以上であることが特に好ましい。また、繰り返し使用の耐久性が高い観点から、３０回以上剥離と接着を繰り返した場合、第２留め具と第１留め具間の接着強度は２Ｎ/ｃｍ以上であることが好ましく、３Ｎ/ｃｍ以上であることがより好ましく、５Ｎ/ｃｍ以上であることがさらに好ましく、７Ｎ/ｃｍ以上であることが特に好ましい。
【００１９】
全頭かつらを装着する際のフィット性を高める観点から、第１留め具及び第２留め具の少なくとも一方は伸縮性を有することが好ましく、第１留め具及び第２留め具のいずれも伸縮性を有することがより好ましい。
【００２０】
本考案の１以上の実施形態において、第１留め具は、テープ状であり、長さ方向（長手方向）が横方向（頭部の周囲方向）に沿うように配列することが望ましい。本考案の１以上の実施形態において、特に限定されないが、第１留め具の厚さは０．２〜０．６ｍｍであってもよく、０．３〜０．５ｍｍであってもよい。本考案の１以上の実施形態において、特に限定されないが、第１留め具の幅は、取り付けユニット（取り付け本体）に毛髪部材として蓑毛を固定する場合は、蓑毛の根元部分の幅より広いことが望ましく、例えば、蓑毛の根元部分の幅の１．５倍以上にしてもよく、２倍以上にしてもよい。
【００２１】
本考案の１以上の実施形態において、取り付け本体への第１留め具の配置方法は特に限定されないが、例えば、作業性の観点から、第１留め具の長さ方向が取り付け本体の長手方向（頭部の周囲方向）に沿うように配列することが望ましく、隣接する第１留め具の配置位置間の間隔は特に限定されないが、隣接する第１留め具が互いに重なることがないように配置することが望ましい。本考案の１以上の実施形態において、取り付け本体への第１留め具の固定方法は、特に限定されないが、例えば、第１留め具が固定箇所以外は動くように固定することが望ましい。第１留め具は、例えば、取り付け本体に縫着されてもよく、取り付け本体にボンド等の接着剤で固定されてもよい。通気性を高め、装着時の快適性を高めることと第１留め具と第２留め具間の剥離を容易にする観点から、第１留め具は長手方向のガイド線に沿ってガイド線の箇所のみが取り付け本体に固定されていることが好ましい。
【００２２】
本考案の１以上の実施形態において、第２留め具は、テープ状であり、長さ（長手方向のサイズ、頭部の周囲方向のサイズ）は、対応する第１留め具の長さと同等であるか小さくてもよい。本考案の１以上の実施形態において、特に限定されないが、第２留め具の厚さは０．２〜０．６ｍｍであってもよく、０．３〜０．５ｍｍであってもよい。本考案の１以上の実施形態において、特に限定されないが、第２留め具の幅は、毛髪部材が蓑毛の場合は、蓑毛の根元部分の幅より大きいことが望ましく、例えば、蓑毛の根元部分の幅の１．５倍以上にしてもよく、２倍以上にしてもよい。
【００２３】
本考案の１以上の実施形態において、第１留め具の一方又は両方の表面及び第２留め具の一方又は両方の表面には、自着性接着剤が配置されており、自着性接着剤が、同種の接着剤でのみ接着し、他の物質に対しては実質的に接着しない性質を有することから、第１留め具及び第２留め具のみ互いに接着性を有し、第２留め具と第１留め具は剥離可能に接着しやすい。
【００２４】
本考案の１以上の実施形態において、装着者の頭部形状へのフィット性を高める観点から、前記自着性接着剤は、固化した後に、柔軟性を有することが好ましい。本考案の１以上の実施形態において、自着性接着剤は、特に限定されないが、例えば、天然ゴム、天然ゴムに不飽和モノマーをグラフト化した天然ゴム誘導体、合成ゴム等からなる群から選ばれる一種以上の接着性成分を含む接着剤組成物を用いることができ、自着性に優れる観点から、天然ゴム及び天然ゴムに不飽和モノマーをグラフト化した天然ゴム誘導体からなる群から選ばれる一種以上の接着性成分を含む接着剤組成物を用いることが好ましい。本考案の１以上の実施形態において、天然ゴムにグラフト化する不飽和モノマーとしては、特に限定されないが、例えばメタクリル酸メチル、スチレン、アクリロニトリル、塩化ビニリデン、無水マレイン酸、アクリルアミド、ビニルピロリドン、ジメチルアクリルアミド、メタクリル酸グリシジル等が挙げられる。これらの中でも、グラフト化反応が確実に進行する観点から、メタクリル酸メチル、スチレン、アクリロニトリルを使用することが一般的である。合成ゴムとしては、例えば、アクリロニトリル−イソプレン共重合体ゴム（ＮＩＲ）、アクリロニトリル−ブタジエン共重合体ゴム（ＮＢＲ）、スチレン−ブタジエン共重合体ゴム（ＳＢＲ）、ブタジエンゴム、イソプレンゴム等が挙げられる。接着成分として、天然ゴム及び／又は天然ゴム誘導体と、合成ゴムを併用してもよく、毛髪部材とかつらベースキャップ間の剥離強度を高める観点から、天然ゴム及び／又は天然ゴム誘導体と、合成ゴムの合計量を１００質量％とした場合、天然ゴム及び／又は天然ゴム誘導体の含有量は３０質量％以上であることが好ましい。前記接着剤組成物は、本考案の効果を阻害しない範囲内で、老化防止剤等の添加剤を適宜含んでも良い。老化防止剤としては、例えば、ヒンダードフェノール系酸化防止剤等の酸化防止剤を用いることができる。ヒンダードフェノール系酸化防止剤としては、例えば、トリエチレングリコール−ビス［３−（３−ｔ−ブチル−５−メチル−４−ヒドロキシフェニル）プロピオネート］、ペンタエリスリチル−テトラキス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、１，３，５−トリメチル−２，４，６−トリス（３，５−ジ−ｔ−ブチル−４−ヒドロキシベンジル）ベンゼン、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５，５］ウンデカン等が挙げられる。本考案の１以上の実施形態において、自着性接着剤は、特に限定されないが、市販のものを用いることができる。例えば、天然ゴム、天然ゴムにメタクリル酸メチルをグラフト重合させた天然ゴム誘導体、合成ゴム等を接着性成分とするムサシノケミカル株式会社のコアテックス（登録商標）シリーズのラテックス系接着剤を用いることができる。第１留め具及び第２留め具において、自着性接着剤は固化状態であることが好ましい。
【００２５】
本考案の１以上の実施形態において、特に限定されないが、第１留め具及び第２留め具は、いずれも、伸縮性生地の一方又は両方の表面に自着性接着剤が配置された留め具用基材で構成されてもよく、伸縮性生地に自着性接着剤が含浸された留め具用基材で構成されてもよい。前記留め具用基材は、厚さが０．２〜０．６ｍｍであってもよく、０．３〜０．５ｍｍであってもよい。前記留め具用基材において、自着性接着剤の厚さ（＝留め具基材の厚み−伸縮性生地の厚み）は、１０〜８０μｍであることが好ましく、３０〜６０μｍであることがより好ましい。留め具基材における自着性接着剤の厚さが上述した範囲内であると、該留め具用基材を用いた第１留め具及び第２留め具を剥離可能に接着させやすい上、毛髪部材が外れることを効果的に抑制することができる。本考案の１以上の実施形態において、特に限定されないが、頭部への装着時のフィット性を高める観点から、前記留め具用基材は、ＪＩＳ  Ｌ  １０９６定速伸長法に準じて測定した、１４．７Ｎ荷重時の長さ方向での伸長率が１３０％以上であることが好ましく、１５０％以上であることがより好ましい。本考案の１以上の実施形態において、特に限定されないが、第１留め具及び第２留め具は、いずれも、自着性接着剤そのもので構成されてもよい。前記伸縮性生地の素材は特に限定されず、例えば、ポリウレタン繊維、ナイロン繊維等を含む生地を用いてもよい。
【００２６】
本考案の１以上の実施形態において、前記自着性接着剤が圧力で接着する感圧性接着剤の場合は、第１留め具と第２留め具を接触させた後、例えば、接触部分を手で押すことで、簡便に第１留め具と第２留め具を剥離可能に接着させることができる。例えば、天然ゴム、天然ゴムに不飽和モノマーをグラフト化した天然ゴム誘導体、合成ゴム等の接着性成分を含む接着剤組成物の内、感圧性接着剤を用いた場合は、第１留め具と第２留め具を接触させた後、接触部分を手で押すことで、第１留め具と第２留め具を剥離可能に接着させることができる。
【００２７】
本考案の１以上の実施形態において、全頭かつらは、毛髪部材ユニットを２つ以上含んでもよく、３つ以上、４つ以上、５つ以上、又は６つ以上含んでもよい。。各々の毛髪部材における毛髪部材は素材、色、長さ、捲縮状態等のいずれか一つ以上又は全部が同じものであってもよく、素材、色、長さ、捲縮状態等のいずれか一つ以上又は全部が異なるものであってもよい。
【００２８】
本考案の１以上の実施形態の全頭かつらにおいて、毛髪部材ユニットは首付近を覆うように取り付けるものであることが好ましい。首付近を覆う領域において、毛髪が劣化しやすいことから、全頭かつらを首付近の自毛に取り付けることで、毛髪がダメージを受けた際に、新たな毛髪部材ユニットを取り替えやすくなる。また、スタイル変更したい場合にも、新たな毛髪部材ユニットを取り替えやすくなる。
【００２９】
本発明の１以上の実施形態の全頭かつらは、市販の全頭かつらの後頭部を覆う領域、特に首付近を覆う領域の毛髪を取り除いた後、該領域に１本以上、２〜１０本、３〜８本、又は４〜６本の第１留め具を設け、毛髪部材を１本以上、２〜１０本、３〜８本、又は４〜６本含み、前記毛髪部材にテープ状の第２留め具が設けられている毛髪部材ユニットを１つ、２つ以上、３つ以上、４つ以上、５つ以上、又は６つ以上組み合わせて用いてもよい。
【００３０】
以下、図面を用いて本考案の１以上の実施形態の全頭かつらを説明する。しかし、本考案は、下記図面で示したものに限定されない。
【００３１】
図１は、本考案の１以上の実施形態の全頭かつらを装着した状態を、一部の毛髪を透過して示した模式図である。図１に示されているように、全頭かつら１は、かつら本体１０と、毛髪部材ユニット２０を含む。かつら本体１０は、かつらベース１１と、かつらベース１１に植毛された毛髪１２と、かつらベース１１の頭部に接する側とは反対側の後頭部を覆う領域、具体的には首付近を覆う領域に毛髪部材ユニットを取り付けるための４本のテープ状の第１留め具１３が設けられている。毛髪部材ユニット２０は、毛髪部材２１と、毛髪部材２１の一方の端部に配置されている第２留め具２２を含む。
【００３２】
図２は、本考案の１以上の実施形態で用いる一例の毛髪部材（蓑毛）の模式的説明図である。図２に示されているように、蓑毛３は、所定の長さの繊維束３１の一方の端部をかつら用のミシンで縫製した、腰ミノ状の毛髪部材であり、縫製部が根元部分３２となる。
【００３３】
図３〜５は、本考案の１以上の実施形態における毛髪部材ユニットの模式的説明図である。図３に示されているように、該実施形態において、毛髪部材ユニット５０は、蓑毛３と、蓑毛３の根元部分に自着性接着剤を直接塗布して固化させて形成したテープ状の第２留め具４０を含む。図４に示されているように、該実施形態において、毛髪部材ユニット７０は、蓑毛３と、蓑毛３の根元部分３２を覆うようにして縫い付けられている（縫製線２４）テープ状の第２留め具６０を含む。第２留め具６０は、留め具用基材で構成されている。図５に示されているように、該実施形態において、毛髪部材７１は、蓑毛３と、蓑毛３の根元部分３２の片面と接するように縫い付けられている（縫製線２５）テープ状の第２留め具６１を含む。第２留め具６１は、留め具用基材で構成されている。
【００３４】
図６〜８は、本考案の１以上の実施形態で用いる留め具用基材の模式的断面図である。図６に示されているように、留め具用基材８０は、伸縮性生地８１と、伸縮性生地８１の両方の表面に配置されている自着性接着剤８２、８３で構成されている。本考案の１以上の実施形態において、留め具用基材は、伸縮性生地と、伸縮性生地の一方の表面に配置されている自着性接着剤で構成されていてもよい。図７に示されているように、留め具用基材９０は、伸縮性生地９１と、伸縮性生地９１の両方の表面に配置されている自着性接着剤９２、９３と、自着性接着剤９２の表面に配置されている保護層９４で構成されている。図８に示されているように、留め具用基材１００は、伸縮性生地１０１と、伸縮性生地１０１の両方の表面に配置されている自着性接着剤１０２、１０３と、自着性接着剤１０２の表面に配置されている保護層１０４と、自着性接着剤１０３の表面に配置されている離型層１０５で構成されている。保護層９４及び１０４の素材及び厚み等は、特に限定されず、適宜調整すればよい。本考案の１以上の実施形態において、保護層９４及び１０４の素材としては、例えば、ストレッチフィルム等を用いてもよい。本考案の１以上の実施形態において、保護層９４及び１０４の厚みは、例えば、３０〜６０μｍであってもよい。離型層１０５の素材及び厚み等は、特に限定されず、適宜調整すればよい。本考案の１以上の実施形態において、離型層の素材としては、例えば、ストレッチフィルム等を用いてもよい。本考案の１以上の実施形態において、離型層１０５の厚みは、例えば、３０〜６０μｍであってもよい。本考案の１以上の実施形態において、留め具用基材において、自着性接着剤は、伸縮性生地に含浸されてもよい。
【００３５】
図９は、本考案の１以上の実施形態の全頭かつらにおいて、かつら本体に毛髪部材ユニットを取り付けた状態を、一部の毛髪を透過して示した模式図である。図９に示されているように、かつら本体１０のかつらベース１１に配置した第１留め具１３で、毛髪部材ユニット７１の毛髪部材３に備えられている第２留め具６１を覆うようにして手で押して剥離可能に接着させることで、かつら本体１０に毛髪部材３を接合する。
【００３６】
図１０Ａ〜Ｆは第１留め具と第２留め具間の接着強度を測定のに用いた一例の測定試料を説明する写真である。具体的には、図１０Ａは、かつらベースキャップと毛髪部材の固定箇所が縦方向の中心になるようにし、かつらベースキャップ部分を縦方向の長さが４ｃｍ、横方向の長さが３ｃｍになるようにカットした試料Iの写真である。図１０Ｂ〜Ｃは、試料Iから、第１留め具と第２留め具の接着部分のみを切り出す状態を説明する写真である。図１０Ｄは、試料Iから、第１留め具と第２留め具の接着部分のみを切り出し、得られた所定の縦方向の長さを有し、横方向の長さが３ｃｍである試料IIの写真である。図１０Ｅは、試料IIにおいて、第１留め具と第２留め具を横方向の一方の端部から２ｃｍまで剥がして得られた試料IIIの写真である。図１０Ｆは、試料IIIにおいて、剥がれている第１留め具の端から１ｃｍのところを上側の取り付け治具に固定し、剥がれている第２留め具の端から１ｃｍのところを下側の取り付け治具に固定した状態を説明する写真である。
【実施例】
【００３７】
以下実施例に基づいて本考案の１以上の実施態様を説明する。但し、本考案はこれらの実施例に限定されるものではない。
【００３８】
（実施例１）
＜かつら本体の作製＞
市販されている一般的なWIG（Shake-n-Go社製のWIG：Free Tress/FullCAP）に設置されている蓑毛のネープ部分の一番したから９番目までを縫い付け部分の糸をカットし取り除いた。次に、図９に示すように、蓑毛を取り除いた部分に、５本の留め具用基材で構成されたテープ状の第１留め具１３を配置してかつら本体１０を作製した。留め具用基材は、伸縮性生地（モリクロス社製「パワーネット」、ポリウレタン８３質量％／ナイロン１７質量％、厚み０．３１〜０．３３ｍｍ）に、自着性接着剤として天然ゴム系自着性接着剤（ムサシノケミカル社製「コアテックス（登録商標）ＡＤ−６０」；天然ゴム約６０重量％の天然ゴムラテックス）を厚みが０．３３〜０．３５ｍｍになるように均一に塗布し、室温で４時間乾燥させて作製した。前記留め具用基材の一方の接着剤層の表面には保護層として厚みが５０μｍのポリエチレン製のストレッチフィルムが配置した。得られた留め具用基材のＪＩＳ  Ｌ  １０９６定速伸長法に準じて測定した、１４．７Ｎ荷重時の長さ方向の伸長率は約１４０％であった。前記留め具用基材を、長さ４５ｃｍ、幅２ｃｍにカットして、幅方向の中心線に沿って折り目を付けてテープ状の第１留め具１３を作製した。テープ状の第１留め具１３の折り目をかつらベース１１の所定箇所を縫い付けた。第１留め具の長さ方向が頭部の周囲方向に沿うようになる。
【００３９】
＜毛髪部材ユニットの作製＞
上記において市販されている一般的なウイッグ（Shake-n-Go社製のWIG：Free Tress/FullCAP）に設置されている蓑毛のネープ部分の一番下から９番目までを縫い付け部分の糸をカットし取り除くことで得られた蓑毛を５本用い、図５に示すように蓑毛３の根元部分３２に留め具用基材で構成されたテープ状第２留め具６１を縫いつけて毛髪部材ユニット７１を得た。留め具用基材としては、第１留め具の作製に用いたものと同様のものを用いた。前記留め具用基材を、長さ４５ｃｍ、幅２ｃｍにカットして、幅方向の下端から０．５ｃｍ離れた位置に沿ってミシンで縫いつける為のガイド線を引きテープ状の第２留め具６１とした。蓑毛３への縫いつけは、テープ状の第２留め具６１のガイド線と蓑毛３の根元部分の上端を合せて図５に示すように縫いつけて第２留め具を備えた毛髪部材ユニット７１を作製した。
【００４０】
＜全頭かつらの作製＞
図９に示されているように、かつら本体１０のかつらベース１１に配置した第１留め具１３で、毛髪部材ユニット７１の毛髪部材３に備えられている第２留め具６１を覆うようにして手で押して剥離可能に接着させることで、かつら本体１０に毛髪部材３を接合した。同様の操作により、５本の毛髪部材ユニットにおける毛髪部材を取り付けユニットの取り付け本体に固定することで、全頭かつら１を作製した。
【００４１】
（実施例２）
留め具用基材として、伸縮性生地（モリクロス社製「パワーネット」、ポリウレタン８３質量％／ナイロン１７質量％、厚み０．３１〜０．３３ｍｍ）に、厚みが０．３７ｍｍ〜０．３９ｍｍになるように均一に自着性接着剤を塗ったものを用いた以外は、実施例１と同様にして、図９に示すような全頭かつら２を得た。  
【００４２】
実施例１及び２の全頭かつらにおける第１留め具と第２留め具の剥離・固定を３０回繰り返した時の接着強度を下記のように測定し、その結果を下記表１に示した。
【００４３】
（第１留め具と第２留め具間の接着強度）
＜測定条件＞
小型卓上試験装置（日本電産シンポ社製「ＦＧＳ−１０００ＴＶ−ＦＧＰ−５」）を使用し、下記試験条件にてかつらベースキャップと毛髪部材が剥がれる時の最大荷重（N）を測定した。
試験条件は、下記のとおりであった。
試験種類：剥離試験
試験速度：７００mm/min
動作方向：PULL
試料取り付け治具：上（フォースゲージ取り付け側）＝ＧＣ−２−５
下（スタンド取り付け側）＝ＧＴ−３０−１
＜測定方法＞
（１）ランダムに５箇所を選択し、かつらベースキャップと毛髪部材の固定箇所が縦方向の中心になるようにし、かつらベースキャップ部分を縦方向の長さが４ｃｍ、横方向の長さが３ｃｍになるようにカットし、試料Ｉとした（図１０Ａ）。
（２）試料Iから、図１０Ｂ〜Ｃに示すように、第１留め具と第２留め具の接着部分のみを切り出し、縦方向の長さが１ｃｍ、横方向の長さが３ｃｍの試料IIを得た（図１０Ｄ）。
（３）試料IIにおいて、第１留め具と第２留め具を横方向の一方の端部から２ｃｍまで剥がして、試料IIIを得た（図１０Ｅ）。
（４）試料IIIにおいて、剥がれている第１留め具の端から１ｃｍのところを上側の取り付け治具に固定した（図１０Ｆ）。
（５）試料IIIにおいて、剥がれている第２留め具の端から１ｃｍのところを下側の取り付け治具に固定した（図１０Ｆ）。
（６）上述した測定条件にて測定を実施した。
＜接着強度＞
下記式に基づいて、上記のように測定した最大荷重（Ｎ）を第２留め具と第１留め具間の接着部分の幅（縦方向の長さに相当する）で割ることで接着強度（Ｎ/ｃｍ）を算出し、５箇所の平均値を第１留め具と第２留め具間の接着強度の接着強度とした。
第１留め具と第２留め具間の接着強度（Ｎ／ｃｍ）＝最大荷重（Ｎ）÷１ｃｍ
【００４４】
【表１】
0003225279.tif 000003
【００４５】
実施例では、使用耐久性及び毛髪部材とかつら本体の接合性が向上した全頭かつらを提供することができる。
【符号の説明】
【００４６】
１  全頭かつら
３  蓑毛（毛髪部材）
１０  かつら本体
１１  かつらベース
１２  毛髪（蓑毛）
１３  第１留め具
２０、５０、７０、７１  毛髪部材ユニット
２１、４０、６０、６１  第２留め具
２４、２５  縫製線
３１  繊維束
３２  根元部分
８０、９０、１００  留め具用基材
８１、９１、１０１  伸縮性生地
８２、８３、９２、９３、１０２、１０３  自着性接着剤
９４、１０４、  保護層
１０５  離型層
【図１】
0003225279.tif 000004
【図２】
0003225279.tif 000005
【図３】
0003225279.tif 000006
【図４】
0003225279.tif 000007
【図５】
0003225279.tif 000008
【図６】
0003225279.tif 000009
【図７】
0003225279.tif 000010
【図８】
0003225279.tif 000011
【図９】
0003225279.tif 000012
【図１０】
0003225279.tif 000013